(57)【要約】【課題】従来技術の制限や欠点に起因する一つ又は複数の問題点を実質的に防止する測定間隔を考慮したＨＡＲＱ動作方法を実現する。【解決手段】測定間隔を考慮したＨＡＲＱ動作方法が開示される。具体的に、端末がインターメジャメント遂行によってＨＡＲＱフィードバック情報を受信できない場合、端末は、以後のＨＡＲＱ動作のために、受信していないＨＡＲＱフィードバック情報をＡＣＫまたはＮＡＣＫと自ら判定し、以後のＨＡＲＱ動作を行うことができる。特に、端末が、受信していないＨＡＲＱフィードバック情報をＡＣＫと判定して動作する場合にも、該当のアップリンク信号は、ＨＡＲＱバッファに継続的に保存され、基地局の新しいＵＬ承認受信を通して再伝送される。【選択図】図７
2011519496.tif 000002
【特許請求の範囲】
【請求項１】
移動通信システムでの端末によるＨＡＲＱ動作方法において、
基地局からアップリンク承認信号を受信する段階と、
前記基地局に前記アップリンク承認信号に対応して特定のアップリンク信号を伝送する段階と、
前記基地局から前記特定のアップリンク信号の伝送に対するフィードバック情報を受信する時点に、前記端末がアップリンク及びダウンリンクのうち少なくとも一つの通信を行わない測定間隔が設定されているかどうかを判定する段階と、
前記判定結果を考慮して前記フィードバック情報を肯定応答または否定応答に設定する段階と、を含む、ＨＡＲＱ動作方法。
【請求項２】
前記フィードバック情報を受信する時点に前記測定間隔が設定され、前記端末が前記判定結果として前記フィードバック情報を受信できない場合、前記フィードバック情報を肯定応答に設定する、請求項１に記載のＨＡＲＱ動作方法。
【請求項３】
前記端末が前記フィードバック情報を肯定応答に設定する場合にも、前記端末は前記特定のアップリンク信号をＨＡＲＱバッファに維持する、請求項２に記載のＨＡＲＱ動作方法。
【請求項４】
前記基地局から前記特定のアップリンク信号の伝送に対する追加のアップリンク承認信号を受信する段階と、
前記端末から、前記ＨＡＲＱバッファに維持された前記特定のアップリンク信号を再伝送する段階と、をさらに含む、請求項３に記載のＨＡＲＱ動作方法。
【請求項５】
前記測定間隔の間に、前記端末が周波数内測定、周波数間測定及び無線システム間モビリティ測定のうち少なくとも一つを行う段階をさらに含む、請求項１に記載のＨＡＲＱ動作方法。
【請求項６】
前記ＨＡＲＱ動作は同期式ＨＡＲＱ動作である、請求項１に記載のＨＡＲＱ動作方法。
【請求項７】
移動通信システムでＨＡＲＱ動作を行う端末であって、
基地局からアップリンク承認信号を受信する受信モジュールと、
前記基地局に前記アップリンク承認信号に対応して特定のアップリンク信号を伝送する伝送モジュールと、
所定の測定間隔の間にアップリンク及びダウンリンクのうち少なくとも一つの通信を行わない測定動作を行う測定モジュールと、
前記端末のＨＡＲＱ動作を管理する少なくとも一つのＨＡＲＱプロセスモジュールと、を含み、
前記少なくとも一つのＨＡＲＱプロセスモジュールは、前記受信モジュールが前記基地局から前記特定のアップリンク信号の伝送に対するフィードバック情報を受信する時点に、前記測定モジュールが測定動作を行う前記測定間隔が設定されているかどうかを判定し、前記判定結果を考慮して前記フィードバック情報を肯定応答または否定応答に設定するように構成されることを特徴とする端末。
【請求項８】
前記少なくとも一つのＨＡＲＱプロセスモジュールは、前記フィードバック情報を受信する時点に前記測定間隔が設定され、前記端末が前記判定結果として前記受信モジュールを通して前記フィードバック情報を受信できない場合、前記フィードバック情報を肯定応答に設定するように構成されることを特徴とする、請求項７に記載の端末。
【請求項９】
前記少なくとも一つのＨＡＲＱプロセスモジュールは一つのＨＡＲＱバッファと関連しており、
前記少なくとも一つのＨＡＲＱプロセスモジュールのうち特定のＨＡＲＱプロセスモジュールが前記フィードバック情報を肯定応答に設定する場合にも、前記特定のＨＡＲＱプロセスモジュールは、前記特定のアップリンク信号を前記特定のＨＡＲＱプロセスモジュールと関連した特定のＨＡＲＱバッファに維持するように構成される、請求項８に記載の端末。
【請求項１０】
前記受信モジュールが前記基地局から前記特定のアップリンク信号の伝送に対する追加のアップリンク承認信号を受信した場合、前記特定のＨＡＲＱプロセスモジュールは、前記特定のＨＡＲＱバッファに維持された前記特定のアップリンク信号を前記伝送モジュールを通して再伝送するように構成される、請求項９に記載の端末。
【請求項１１】
前記測定間隔の間に、前記測定モジュールは、周波数内測定、周波数間測定及び無線システム間モビリティ測定のうち少なくとも一つを行うように構成される、請求項７に記載の端末。
【請求項１２】
前記伝送モジュール及び前記受信モジュールは物理層モジュールに含まれ、
前記少なくとも一つのＨＡＲＱプロセスモジュールはＭＡＣ層モジュールに含まれ、
前記測定モジュールは物理層モジュール中のモジュール及びＲＲＣ層モジュール中のモジュールのうち少なくとも一つを含む、請求項７に記載の端末。
【請求項１３】
前記ＨＡＲＱ動作は同期式ＨＡＲＱ動作である、請求項７に記載の端末。
【発明の詳細な説明】
【技術分野】
【０００１】
本発明は、ＨＡＲＱ動作技術に関し、特に、測定間隔を考慮したＨＡＲＱ動作方法に関する。本発明は、広範囲の適用に適しているが、特に、移動通信システムでアップリンク／ダウンリンク伝送が中断される測定間隔とハイブリッド自動再送要求（Hybrid Auto Repeat reQuest；ＨＡＲＱ）のフィードバック情報の受信時点とが重なる場合における問題を解決するのに適している。
【背景技術】
【０００２】
本発明が適用される移動通信システムの一例として、第３世代パートナーシッププロジェクトロングタームエボリューション（3rd Generation Partnership Project Long Term Evolution；３ＧＰＰ  ＬＴＥ；以下、「ＬＴＥ」という。）通信システムについて概略的に説明する。
【０００３】
図１は、移動通信システムの一例としてＥ−ＵＭＴＳネットワーク構造を概略的に示した図である。
【０００４】
発展型ユニバーサル移動電話システム（Evolved Universal Mobile Telecommunications System；Ｅ−ＵＭＴＳ）は、既存のユニバーサル移動電話システム（Universal Mobile Telecommunications System；ＵＭＴＳ）から進化したシステムとして、現在３ＧＰＰで基礎的な標準化作業を進行している。一般的に、Ｅ−ＵＭＴＳは、ＬＴＥシステムとも言える。
【０００５】
Ｅ−ＵＭＴＳネットワークは、大きく発展型ＵＭＴＳ地上無線アクセスネットワーク（Evolved-UMTS Terrestrial Radio Access Network；Ｅ-ＵＴＲＡＮ）１０１とコアネットワーク（Core Network；ＣＮ）１０２とに区分することができる。Ｅ−ＵＴＲＡＮ１０１は、端末（User Equipment；以下、「ＵＥ」と略称する。）１０３、基地局（以下、「ｅＮｏｄｅ  Ｂ」または「ｅＮＢ」と略称する。）１０４、ネットワークの終端に位置して外部ネットワークと連結されるアクセスゲートウェイ（Access Gateway；以下、「ＡＧ」と略称する。）１０５で構成される。ＡＧ１０５は、ユーザトラフィック処理を担当する部分と、制御トラフィックを処理する部分とに分けることもできる。このとき、新しいユーザトラフィック処理のためのＡＧと制御トラフィックを処理するＡＧは、新しいインターフェースを使用して互いに通信することもできる。
【０００６】
一つのｅＮｏｄｅ  Ｂには少なくとも一つのセルが存在し、各ｅＮｏｄｅ  Ｂの間にはユーザトラフィックまたは制御トラフィック伝送のためのインターフェースが使用されることもある。ＣＮ１０２は、ＡＧ１０５及びその他のＵＥ１０３のユーザ登録のためのノードなどで構成されることもある。また、Ｅ−ＵＴＲＡＮ１０１とＣＮ１０２とを区分するためのインターフェースが使用されることもある。
【０００７】
端末とネットワークとの間の無線インターフェースプロトコルの各層は、通信システムで広く知られた開放型システム間相互接続（Open System Interconnection；ＯＳＩ）参照モデルの下位３個の層に基づいて第１層（Ｌ１）、第２層（Ｌ２）及び第３層（Ｌ３）に区分される。これらのうち、第１層に属する物理層は、物理チャネルを用いた情報伝送サービスを提供し、第３層に位置する無線リソース制御（Radio Resource Control；以下、「ＲＲＣ」と略称する。）層は、端末とネットワークとの間で無線リソースを制御する役割を行う。このために、ＲＲＣ層は、端末とネットワークとの間でＲＲＣメッセージを交換する。ＲＲＣ層は、ｅＮｏｄｅ  Ｂ１０４及びＡＧ１０５などのネットワークの各ノードに分散されて位置することもあり、ｅＮｏｄｅ  Ｂ１０４またはＡＧ１０５のみに位置することもある。
【０００８】
図２及び図３は、３ＧＰＰ無線接続ネットワーク規格を基盤とした端末とＵＴＲＡＮとの間の無線インターフェースプロトコルの構造を示す。
【０００９】
図２及び図３の無線インターフェースプロトコルは、水平方向には物理層、データリンク層及びネットワーク層からなり、垂直方向にはデータ情報伝送のためのユーザプレーン（U-plane）と制御信号伝達のための制御プレーン（C-plane）とに区分される。具体的に、図２は、無線プロトコル制御プレーンの各層を示し、図３は、無線プロトコルのユーザプレーンの各層を示している。図２及び図３の各プロトコル層は、通信システムで広く知られた開放型システム間相互接続（ＯＳＩ）参照モデルの下位３個の層に基づいて第１層（Ｌ１）、第２層（Ｌ２）及び第３層（Ｌ３）に区分される。
【００１０】
以下、図２の無線プロトコル制御プレーンと図３の無線プロトコルユーザプレーンの各層を説明する。
【００１１】
第１層である物理（Physical；ＰＨＹ）層は、物理チャネルを用いて上位層に情報伝送サービスを提供する。ＰＨＹ層は、上位の媒体アクセス制御（Medium Access Control；ＭＡＣ）層とトランスポートチャネルを通して連結されており、このトランスポートチャネルを通してＭＡＣ層とＰＨＹ層との間のデータが移動する。このとき、トランスポートチャネルは、チャネルの共有可否によって専用トランスポートチャネルと共用トランスポートチャネルとに大きく分けられる。そして、互いに異なる各ＰＨＹ層の間、すなわち、送信側と受信側のＰＨＹ層の間には、無線リソースを用いた物理チャネルを通してデータが移動する。
【００１２】
第２層には多様な層が存在する。まず、ＭＡＣ層は、多様な論理チャネルを多様なトランスポートチャネルにマッピングさせる役割を行うとともに、多様な論理チャネルを一つのトランスポートチャネルにマッピングさせる論理チャネル多重化の役割を行う。ＭＡＣ層は、上位層である無線リンク制御（Radio Link Control；ＲＬＣ）層とは論理チャネルで連結されており、論理チャネルは、伝送される情報の種類によって、制御プレーンの情報を伝送する制御チャネルと、ユーザプレーンの情報を伝送するトラフィックチャネルとに大きく分けられる。
【００１３】
第２層のＲＬＣ層は、上位層から受信したデータを分割及び連結し、下位層が無線区間にデータを伝送するのに適した大きさにデータの大きさを調節する役割を行う。また、それぞれの無線ベアラ（Radio Bearer；ＲＢ）が要求する多様なサービス品質（Quality of Service；ＱｏＳ）を保障できるように、透過モード（Transparent Mode；ＴＭ）、非応答モード（Un-acknowledged Mode；ＵＭ）、及び応答モード（Acknowledged Mode；ＡＭ）の三つの動作モードを提供している。特に、ＡＭ  ＲＬＣは、信頼性のあるデータ伝送のために自動再送要求（Automatic Repeat and Request；ＡＲＱ）機能を通した再伝送機能を行っている。
【００１４】
第２層のパケットデータコンバージェンスプロトコル（Packet Data Convergence Protocol；ＰＤＣＰ）層は、ＩＰｖ４やＩＰｖ６のようなＩＰパケット伝送時に帯域幅の小さい無線区間で効率的に伝送するために、相対的に大きくて不必要な制御情報を含んでいるＩＰパケットヘッダサイズを減らすヘッダ圧縮機能を行う。これは、データのヘッダ部分で必ず必要な情報のみが伝送されるようにし、無線区間の伝送効率を増加させる役割をする。また、ＬＴＥシステムでは、ＰＤＣＰ層がセキュリティ機能も行うが、これは、第三者のデータ傍受を防止する暗号化及び第三者のデータ操作を防止する完全性保護で構成される。
【００１５】
第３層の最上部に位置したＲＲＣ層は、制御プレーンのみで定義され、各ＲＢの設定、再設定及び解除と関連して論理チャネル、トランスポートチャネル及び物理チャネルの制御を担当する。ここで、ＲＢは、端末とＵＴＲＡＮとの間のデータ伝達のために無線プロトコルの第１及び第２層によって提供される論理パスを意味し、一般的にＲＢが設定されることは、特定のサービスを提供するために必要な無線プロトコル層及びチャネルの特性を規定し、それぞれの具体的なパラメータ及び動作方法を設定する過程を意味する。ＲＢは、さらにシグナリングＲＢ（Signaling RB；ＳＲＢ）とデータＲＢ（Data RB；ＤＲＢ）の二つに分けられるが、ＳＲＢは制御プレーンでＲＲＣメッセージを伝送するパスとして使用され、ＤＲＢはユーザプレーンでユーザデータを伝送するパスとして使用される。
【００１６】
ネットワークから端末にデータを伝送するダウンリンクトランスポートチャネルとしては、システム情報を伝送するブロードキャストチャネル（Broadcast CHannel；ＢＣＨ）と、ユーザトラフィックや制御メッセージを伝送するダウンリンク共有チャネル（Shared CHannel；ＳＣＨ）とがある。ダウンリンクマルチキャストまたは放送サービスのトラフィックまたは制御メッセージの場合、ダウンリンクＳＣＨを通して伝送されることもあり、別途のダウンリンクマルチキャストチャネル（Multicast CHannel；ＭＣＨ）を通して伝送されることもある。一方、端末からネットワークにデータを伝送するアップリンクトランスポートチャネルとしては、初期制御メッセージを伝送するランダムアクセスチャネル（Random Access CHannel；ＲＡＣＨ）と、ユーザトラフィックや制御メッセージを伝送するアップリンク共有チャネル（Shared CHannel；ＳＣＨ）とがある。
【００１７】
そして、ダウンリンクトランスポートチャネルで伝達される情報をネットワークと端末との間の無線区間に伝送するダウンリンク物理チャネルとしては、ＢＣＨの情報を伝送する物理ブロードキャストチャネル（Physical Broadcast CHannel；ＰＢＣＨ）、ＭＣＨの情報を伝送する物理マルチキャストチャネル（Physical Multicast CHannel；ＰＭＣＨ）、ＰＣＨとダウンリンクＳＣＨの情報を伝送する物理ダウンリンク共有チャネル（Physical Downlink Shared CHannel；ＰＤＳＣＨ）、及びダウンリンクまたはアップリンク無線リソース割当情報（DL/UL Scheduling Grant）などのように第１層と第２層で提供する制御情報を伝送する物理ダウンリンク制御チャネル（Physical Downlink Control CHannel；ＰＤＣＣＨ）、またはＤＬ  Ｌ１／Ｌ２制御チャネル（control channel）ともいう。）がある。
【００１８】
一方、アップリンクトランスポートチャネルで伝達される情報をネットワークと端末との間の無線区間に伝送するアップリンク物理チャネルとしては、アップリンクＳＣＨの情報を伝送する物理アップリンク共有チャネル（Physical Uplink Shared CHannel；ＰＵＳＣＨ）、ＲＡＣＨ情報を伝送する物理ランダムアクセスチャネル（Physical Random Access CHannel；ＰＲＡＣＨ）、ＨＡＲＱ  ＡＣＫまたはＮＡＣＫ、スケジューリングリクエスト（Scheduling Request；ＳＲ）、チャネル品質インジケータ（Channel Quality Indicator；ＣＱＩ）報告などのように第１層と第２層で提供する制御情報を伝送する物理アップリンク制御チャネル（Physical Uplink Control CHannel；ＰＵＣＣＨ）がある。
【００１９】
以下、上述した説明に基づいてＬＴＥシステムで行われるＨＡＲＱ動作を説明する。
【００２０】
図４は、ＬＴＥシステムで行われるＨＡＲＱ動作を示した図である。
【００２１】
図４では、端末（ＵＥ）が送信側になり、基地局（ｅＮｏｄｅ  ＢまたはｅＮＢ）が受信側になり、ＨＡＲＱフィードバック情報を基地局から受信するアップリンク状況を仮定して説明するが、ダウンリンクに対しても同一に適用される。
【００２２】
まず、基地局は、ＨＡＲＱ方式で端末がデータを伝送できるように、物理ダウンリンク制御チャネル（Physical Downlink Control CHannel；ＰＤＣＣＨ）を通してアップリンクスケジューリング情報、すなわち、アップリンク承認（UL Grant）を伝送することができる（Ｓ４０１）。前記ＵＬ承認には、端末識別子（例えば、Ｃ−ＲＮＴＩまたは半永続的スケジューリング（Semi-Persistent Scheduling）Ｃ−ＲＮＴＩ）、割り当てられた無線リソースの位置（Resource block assignment）、変調／コーディングレート及びリダンダンシーバージョンのような伝送パラメータ、新規データ指示子などが含まれる。
【００２３】
端末は、送信時間間隔（Transport Time Interval；ＴＴＩ）ごとにＰＤＣＣＨをモニタリングし、自体に伝送されるＵＬ承認情報を確認することができ、端末が自体に伝送されたＵＬ承認情報を見つけた場合、受信したＵＬ承認情報によってデータ（図４ではデータ１）を物理アップリンク共有チャネル（Physical Uplink Shared CHannel；ＰＵＳＣＨ）を通して伝送することができる（Ｓ４０２）。このときに伝送されるデータは、媒体アクセス制御（Medium Access Control Packet Data Unit；ＭＡＣ  ＰＤＵ）単位で伝送される。
【００２４】
上述したようにＰＵＳＣＨを通してアップリンク伝送を行った端末は、基地局から物理ハイブリッドＡＲＱインジケータチャネル（Physical Hybrid-ARQ Indicator CHhannel；ＰＨＩＣＨ）を通したＨＡＲＱフィードバック情報受信を待つようになる。基地局から前記データ１に対するＨＡＲＱ  ＮＡＣＫが伝送された場合（Ｓ４０３）、端末は、前記データ１の再伝送ＴＴＩで前記データ１を再伝送する（Ｓ４０４）。その反面、基地局からＨＡＲＱ  ＡＣＫを受信した場合（図示せず）、端末は、前記データ１に対するＨＡＲＱ再伝送を中止する。
【００２５】
端末は、ＨＡＲＱ方式で一回のデータ伝送を行うときごとに伝送回数（ＣＵＲＲＥＮＴ ＴＸ ＮＢ）を数えて、前記伝送回数が上位層で設定した最大伝送回数（ＣＵＲＲＥＮＴ ＴＸ ＮＢ）に到達すると、ＨＡＲＱバッファに保存されたＭＡＣ  ＰＤＵを捨てる。
【００２６】
端末の段階Ｓ４０４で再伝送したデータ１に対するＨＡＲＱ  ＡＣＫを受信し（Ｓ４０５）、ＰＤＣＣＨを通してＵＬ承認を受信した場合（Ｓ４０６）、端末は、今回伝送すべきデータが最初に伝送されるＭＡＣ  ＰＤＵであるか、それとも以前のＭＡＣ  ＰＤＵを再伝送すべきであるかを、ＰＤＣＣＨを通して受信されるＮＤＩ（New Data Indicator）フィールドを通して知ることができる。前記ＮＤＩフィールドは、１ビットフィールドとして、新しいＭＡＣ  ＰＤＵが伝送されるときごとに０→１→０→１→…にトグル（toggle）され、再伝送に対しては最初の伝送と同一の値を有する。すなわち、端末は、ＮＤＩフィールドが以前に伝送された値と同一であるかを比較し、ＭＡＣ  ＰＤＵの再伝送可否を知ることができる。
【００２７】
図４の場合、段階Ｓ４０１でのＮＤＩ＝０値が段階Ｓ４０６でＮＤＩ＝１にトグルされたことを通して、端末は、該当の伝送が新規伝送を表すことを認知し、これによって、データ２をＰＵＳＣＨを通して伝送することができる（Ｓ４０７）。
【００２８】
一方、ＬＴＥシステムで、基地局は、モビリティ支援のためにインターメジャメント（inter-measurement）が必要な端末に測定動作を設定することができる。このように端末がインターメジャメントを行う測定間隔では、一般的に基地局と端末との間の通信が断絶される。ここで、「インターメジャメント」は、端末が行う周波数内測定（Intra-frequency measurement）、周波数間測定（inter-frequency measurement）及び無線システム間モビリティ測定（inter-RAT mobility measurement）などを含む。
【００２９】
前記測定間隔のインターバルが基地局の設定によって決定され、決定されたインターバルごとに測定間隔動作が行われることで、端末は、アップリンクで６ｍｓまたは７ｍｓの間に基地局への伝送を中止し、ダウンリンクで６ｍｓの間に基地局からの受信を中止するようになる。
【００３０】
したがって、このような測定間隔が、図４と関連して上述したＨＡＲＱフィードバックの受信時点と一致する場合、端末は、基地局からのＨＡＲＱフィードバックを受信することができない。
【発明の概要】
【発明が解決しようとする課題】
【００３１】
したがって、本発明は、従来技術の制限や欠点に起因する一つ又は複数の問題点を実質的に防止する測定間隔を考慮したＨＡＲＱ動作方法を目的とする。
【００３２】
本発明の目的は、移動通信システムでアップリンク／ダウンリンク伝送が中断される測定間隔とＨＡＲＱフィードバック情報受信時点とが重なる場合に備えた効率的なＨＡＲＱ動作方法を提供することである。
【００３３】
本発明の他の利点、目的および特徴は、以下の記載で述べるが、その一部については、明細書の記載から明らかになるであろう。また、その一部について、当分野の通常の知識を有する者は、以下を実験することによって明らかにしたり、あるいは、本発明を実施することによって理解したりするであろう。本発明の目的および他の利点は、明細書および特許請求の範囲の書面ならびに添付図面で特に示された構成によって、実現され達成されるであろう。
【課題を解決するための手段】
【００３４】
上述したような課題を解決するための本発明の一様態では、移動通信システムでの端末によるＨＡＲＱ動作方法において、基地局からアップリンク承認信号を受信する段階と、前記基地局に前記アップリンク承認信号に対応して特定のアップリンク信号を伝送する段階と、前記基地局から前記特定のアップリンク信号の伝送に対するフィードバック情報を受信する時点に、前記端末がアップリンク及びダウンリンクのうち少なくとも一つの通信を行わない測定間隔が設定されているかどうかを判定する段階と、前記判定結果を考慮して前記フィードバック情報を肯定応答または否定応答に設定する段階とを含むＨＡＲＱ動作方法を提案する。
【００３５】
好ましくは、前記フィードバック情報を受信する時点に前記測定間隔が設定され、前記端末が前記判定結果として前記フィードバック情報を受信できない場合、前記フィードバック情報を肯定応答に設定することができる。
【００３６】
このとき、前記端末が前記フィードバック情報を肯定応答に設定する場合にも、前記端末は、前記特定のアップリンク信号をＨＡＲＱバッファに維持することが好ましい。
【００３７】
また、前記基地局から前記特定のアップリンク信号の伝送に対する追加のアップリンク承認信号を受信する場合、前記端末から、前記ＨＡＲＱバッファに維持された前記特定のアップリンク信号を再伝送することができる。
【００３８】
上述した実施形態では、前記測定間隔の間に、前記端末が周波数内測定、周波数間測定及び無線システム間モビリティ測定のうち少なくとも一つを行う段階をさらに含むことができる。
【００３９】
また、前記ＨＡＲＱ動作は、同期式ＨＡＲＱ動作であると仮定する。
【００４０】
一方、上述したような課題を解決するための本発明の他の一様態では、移動通信システムでＨＡＲＱ動作を行う端末であって、基地局からアップリンク承認信号を受信する受信モジュールと、前記基地局に前記アップリンク承認信号に対応して特定のアップリンク信号を伝送する伝送モジュールと、所定の測定間隔の間にアップリンク及びダウンリンクのうち少なくとも一つの通信を行わない測定動作を行う測定モジュールと、前記端末のＨＡＲＱ動作を管理する少なくとも一つのＨＡＲＱプロセスモジュールとを含み、前記少なくとも一つのＨＡＲＱプロセスモジュールは、前記受信モジュールが前記基地局から前記特定のアップリンク信号の伝送に対するフィードバック情報を受信する時点に前記測定モジュールが前記測定動作を行う測定間隔が設定されているかどうかを判定し、前記判定結果を考慮して前記フィードバック情報を肯定応答または否定応答に設定するように構成されることを特徴とする端末を提案する。
【００４１】
好ましくは、前記少なくとも一つのＨＡＲＱプロセスモジュールは、前記フィードバック情報を受信する時点に前記測定間隔が設定され、前記端末が前記判定結果として前記受信モジュールを通して前記フィードバック情報を受信できない場合、前記フィードバック情報を肯定応答に設定するように構成される。
【００４２】
このとき、前記少なくとも一つのＨＡＲＱプロセスモジュールは一つのＨＡＲＱバッファと関連しており、前記少なくとも一つのＨＡＲＱプロセスモジュールのうち特定のＨＡＲＱプロセスモジュールが前記フィードバック情報を肯定応答に設定する場合にも、前記特定のＨＡＲＱプロセスモジュールは、前記特定のアップリンク信号を前記特定のＨＡＲＱプロセスモジュールと関連した特定のＨＡＲＱバッファに維持するように構成されることが好ましい。
【００４３】
また、前記受信モジュールが前記基地局から前記特定のアップリンク信号の伝送に対する追加のアップリンク承認信号を受信した場合、前記特定のＨＡＲＱプロセスモジュールは、前記特定のＨＡＲＱバッファに維持された前記特定のアップリンク信号を前記伝送モジュールを通して再伝送するように構成されることが好ましい。
【００４４】
上述した端末構成に対する実施形態で、前記伝送モジュール及び前記受信モジュールは物理層モジュールに含まれ、前記少なくとも一つのＨＡＲＱプロセスモジュールはＭＡＣ層モジュールに含まれ、前記測定モジュールは物理層モジュール中のモジュール及びＲＲＣ層モジュール中のモジュールのうち少なくとも一つを含むことができる。
【発明の効果】
【００４５】
したがって、本発明は、以下の効果および／または利点をもたらす。
【００４６】
上述したような本発明によると、ＨＡＲＱ方式で端末が基地局にデータを伝送した後、これに対するＨＡＲＱフィードバックの受信時点が測定間隔と重なることによって前記ＨＡＲＱフィードバックを受信できない場合、端末が自ら前記ＨＡＲＱフィードバック情報を設定することで、端末は、以後のＨＡＲＱ動作を正常に行うことができる。
【００４７】
このような方式は、ＨＡＲＱフィードバック受信時点と測定間隔とが重ならないように調整する方式に比べてリソース効率を高めることができる。
【００４８】
また、端末が受信していないＨＡＲＱフィードバック情報をＡＣＫと自ら判断して動作する場合にも、基地局が端末の再伝送を開始できる手段を提供することで、システムを弾力的に運用することができる。
【００４９】
以下の本発明に関する概略説明とそれに続く詳細説明は、共に、実施例とその説明であり、特許請求の範囲に記載された本発明をさらに説明するためのものであることを理解されたい。
【００５０】
本発明をさらに理解するため添付された図面は、本明細書に組み込まれて本明細書の一部を構成する。これらの添付図面は、本発明の実施形態を例示し、本明細書の記載と併せて本明細書の主旨を説明するためのものである。
【図面の簡単な説明】
【００５１】
【図１】移動通信システムの一例としてＥ−ＵＭＴＳネットワーク構造を概略的に示した図である。
【図２】３ＧＰＰ無線接続ネットワーク規格を基盤とした端末とＵＴＲＡＮとの間の無線インターフェースプロトコルの構造を示した図である。
【図３】３ＧＰＰ無線接続ネットワーク規格を基盤とした端末とＵＴＲＡＮとの間の無線インターフェースプロトコルの構造を示した図である。
【図４】ＬＴＥシステムで行われるＨＡＲＱ動作を示した図である。
【図５】測定間隔とＨＡＲＱフィードバック情報受信時点とが重なる場合におけるＨＡＲＱ動作の問題点を示した図である。
【図６】本発明の一実施形態によって端末が受信していないＨＡＲＱフィードバックをＨＡＲＱ  ＮＡＣＫと判断して動作する方式を説明するための図である。
【図７】本発明の他の一実施形態によって端末が受信していないＨＡＲＱフィードバック情報をＡＣＫと判断して処理する方法を説明するための図である。
【図８】本発明の好適な一実施形態によって端末がＨＡＲＱ動作を行う方法を説明するための図である。
【図９】本発明の一実施形態に係るＨＡＲＱ動作を行うための端末の構成を概略的に示した図である。
【発明を実施するための形態】
【００５２】
以下、本発明に係る好適な実施形態を添付された図面に基づいて詳細に説明する。添付された図面と一緒に以下で開示される詳細な説明は、本発明の例示的な実施形態を説明するもので、本発明が実施される唯一の実施形態を表すものではない。以下の詳細な説明は、本発明の完全な理解を提供するために具体的な細部事項を含む。しかしながら、当業者は、本発明がこのような具体的な細部事項なしにも実施可能であることを理解するであろう。例えば、以下の詳細な説明は、移動通信システムが３ＧＰＰ  ＬＴＥシステムである場合を仮定して具体的に説明したが、３ＧＰＰ  ＬＴＥ特有の事項を除けば、他の任意の移動通信システムにも適用可能である。
【００５３】
いくつかの場合においては、本発明の概念が曖昧になることを避けるために公知の構造及び装置が省略されたり、各構造及び装置の核心機能を中心にしたブロック図形式で図示されたりする。また、本明細書全体における同一の構成要素に対しては、同一の図面符号を使用して説明する。
【００５４】
さらに、以下の説明において、端末は、ＵＥ（User Equipment）、ＭＳ（Mobile Station）などの移動または固定型のユーザ端機器を通称するものと仮定する。また、基地局は、Ｎｏｄｅ  Ｂ、ｅＮｏｄｅ  Ｂ、Ｂａｓｅ  Ｓｔａｔｉｏｎなどの端末と通信するネットワーク端の任意のノードを通称するものと仮定する。
【００５５】
以下、上述した測定間隔とＨＡＲＱフィードバック情報受信時点とが重なる場合における問題をより具体的に説明する。
【００５６】
図５は、測定間隔とＨＡＲＱフィードバック情報受信時点とが重なる場合におけるＨＡＲＱ動作の問題点を示した図である。
【００５７】
端末は、基地局からＵＬ承認を受信した場合、受信したＵＬ承認に対応するＭＡＣ  ＰＤＵ、図５の例でのＭＡＣ  ＰＤＵ  Ａを生成し、最初の伝送を行うことができる（Ｓ５０１）。その後、端末は、基地局から前記ＭＡＣ  ＰＤＵ  Ａの伝送に対応するＨＡＲＱフィードバック情報を定められた時点で受信することができる（Ｓ５０２）。一般的に、ＬＴＥシステムでは、ＨＡＲＱ動作が同期式動作であるので、該当のＵＬ伝送に対するＨＡＲＱフィードバック情報は、定められたタイミングで受信されるようになる。段階Ｓ５０２で端末が基地局からＨＡＲＱ  ＮＡＣＫを受信した場合、端末は、次の周期に該当のＭＡＣ  ＰＤＵ  Ａを再伝送することができる（Ｓ５０３）。ここで、ＨＡＲＱ動作は、非適応型（Non-Adaptive）方式で行われると仮定し、例えば、段階Ｓ５０３でのＭＡＣ  ＰＤＵの再伝送は、別途のＵＬ承認の受信なしに段階Ｓ５０１と同一のリソースを通して同一の方式で行われると仮定する。
【００５８】
一方、システムでインターメジャメントが必要である場合、基地局は、端末に所定周期の測定間隔を設定することができ、端末は、設定された測定間隔に周波数間測定、周波数内測定または無線システム間モビリティ測定などの動作を行うことができる。
【００５９】
ここで、「周波数間測定」は、サービングセルのダウンリンクキャリア周波数と異なる周波数での測定動作を表し、「周波数内測定」は、サービングセルのダウンリンクキャリア周波数での測定動作を表す。さらに、「無線システム間モビリティ測定」は、ユニバーサル地上無線アクセス（Universal Terrestrial Radio Access；ＵＴＲＡ）周波数の無線システム間測定、ＧＳＭ／ＥＤＧＥ無線アクセスネットワーク（GSM/EDGE Radio Access Network;ＧＥＲＡＮ）周波数の無線システム間測定及びＣＤＭＡ２０００高速パケットデータ（CDMA2000 High Rate Packet Data；ＣＤＭＡ２０００  ＨＲＰＤ）またはＣＤＭＡ２０００  １ｘ無線伝送技術（CDMA2000 1x Radio Transmission Technology；ＣＤＭＡ２０００  １ｘＲＴＴ）周波数の無線システム間測定などを含む。
【００６０】
基地局は、端末にＲＲＣ層信号を通して上述した測定間隔を設定することができる。また、上述した測定動作は、端末のＲＲＣ層モジュールによって管理される。図５では、端末が一定の周期間隔の測定間隔１（ＭＧ１）及び測定間隔２（ＭＧ２）で上述した測定動作を行うことを示している。これによって、測定間隔１及び測定間隔２では、端末のアップリンク／ダウンリンク受信が中止される。
【００６１】
段階Ｓ５０３で再伝送されたＭＡＣ  ＰＤＵ  Ａに対するＨＡＲＱフィードバック情報の受信時点が、端末のアップリンク／ダウンリンク受信が不可能な測定間隔２と重なる場合（Ｓ５０４）、端末が基地局からの指示を受信できないので、端末の以後のＨＡＲＱ動作が不可能になるという問題がある。一般的に、ＬＴＥシステムでの端末のＨＡＲＱ動作は、基地局からのＨＡＲＱフィードバック受信によって再伝送可否を決定し、基地局からのフィードバック情報がＡＣＫであるか、それともＮＡＣＫであるかに対する判断がない場合、以後のＨＡＲＱ動作との連結が断絶されるという問題を有する。
【００６２】
一般的に、上述した測定間隔は、基地局のＲＲＣ層信号を通して端末に設定され、ＨＡＲＱ伝送及び再伝送タイミングも基地局によって管理される。したがって、基地局が上述したようなＨＡＲＱフィードバック受信時点と測定間隔とが一致しないように予め設定する方式を考慮することができる。ただし、ＨＡＲＱフィードバック受信時点は、ＨＡＲＱ方式による再伝送が何回にかけて行われるかによって変わり得る。そのため、このように測定間隔とＨＡＲＱフィードバック情報受信時点とが重なる可能性を全て考慮してリソースを割り当てる場合、リソース効率が低下するという問題が発生する。
【００６３】
したがって、本発明の一様態では、基地局が上述した問題を予め勘案してリソース割当方式を変更する代わりに、上述した測定動作のようにアップリンク／ダウンリンク送受信が断絶され、端末が基地局からのＨＡＲＱフィードバックを受信できない場合、端末が自ら受信していない基地局からのＨＡＲＱフィードバック情報を判断し、以後のＨＡＲＱ動作を行うように設定することを提案する。
【００６４】
これによる一実施形態では、ＨＡＲＱフィードバック受信時点が上述した測定間隔と重なる場合、端末が受信していないＨＡＲＱフィードバックをＨＡＲＱ  ＮＡＣＫと判断して動作することを提案する。
【００６５】
図６は、本発明の一実施形態によって端末が受信していないＨＡＲＱフィードバックをＨＡＲＱ  ＮＡＣＫと判断して動作する方式を説明するための図である。
【００６６】
まず、端末は、基地局から受信されたＵＬ承認によってＭＡＣ  ＰＤＵ  Ａを生成し、これをＰＵＳＣＨを通して伝送することができる（Ｓ６０１）。これとは別途に、基地局は、端末にＲＲＣ層信号を通して図６の測定間隔１（ＭＧ１）、測定間隔２（ＭＧ２）、測定間隔３（ＭＧ３）のような測定間隔を設定することができる。これによって、端末のＲＲＣ層モジュールは、該当の測定間隔でアップリンク／ダウンリンク通信を中断し、上述したインターメジャメント間隔を行うことができる。
【００６７】
端末は、ＭＡＣ  ＰＤＵ  Ａを伝送した後、定められたタイミングで基地局からＨＡＲＱフィードバックを待つようになる。基地局からＨＡＲＱ  ＮＡＣＫを受信した場合（Ｓ６０３）、端末は、次の再伝送タイミング、例えば、次のＴＴＩでＭＡＣ  ＰＤＵ  Ａの再伝送を試みることができる（Ｓ６０３）。
【００６８】
一方、段階Ｓ６０３で再伝送されたＭＡＣ  ＰＤＵ  Ａに対する基地局からのＨＡＲＱフィードバック情報受信時点が測定間隔２と重なる場合（Ｓ６０４）、本実施形態の端末は、受信していない基地局からのＨＡＲＱフィードバック情報をＮＡＣＫと見なし、ＨＡＲＱ動作を進行する。すなわち、次の伝送ＴＴＩで、端末は、ＭＡＣ  ＰＤＵ  Ａを再び再伝送することができる（Ｓ６０５）。
【００６９】
図６の例では、段階Ｓ６０４で基地局が実際にＨＡＲＱ  ＮＡＣＫを伝送した例を示した。ただし、段階Ｓ６０４で基地局が実際にＨＡＲＱ  ＡＣＫを伝送する場合にも、端末がこれを受信できず、本実施形態では、これをＨＡＲＱ  ＮＡＣＫと判断して再伝送を行うようになる。これによって、基地局では、ＭＡＣ  ＰＤＵ  Ａの受信成功以後にもＭＡＣ  ＰＤＵ  Ａを再び受信するようになるが、基地局は、ＨＡＲＱプロセスＩＤなどを通して重複して伝送されたＭＡＣ  ＰＤＵ  Ａを無視することができる。
【００７０】
一方、本発明の他の一実施形態では、上述したように、測定間隔がＨＡＲＱフィードバック情報受信時点と一致し、ＨＡＲＱフィードバック情報の受信が不可能である場合、端末が、受信していないＨＡＲＱフィードバック情報をＡＣＫと判断してＨＡＲＱ動作を行う方式を提案する。
【００７１】
図７は、本発明の他の一実施形態によって端末が受信していないＨＡＲＱフィードバック情報をＡＣＫと判断して処理する方法を説明するための図である。
【００７２】
まず、端末は、受信したＵＬ承認によってＭＡＣ  ＰＤＵ  Ａを生成して伝送することができる（Ｓ７０１）。また、本例でも、図６と同様に、基地局からＲＲＣ層信号を通して所定周期で測定間隔１（ＭＧ１）、測定間隔２（ＭＧ２）及び測定間隔３（ＭＧ３）が設定されていると仮定する。これによって、端末のＲＲＣ層モジュールは、該当の測定間隔でインターメジャメント動作を行い、該当の測定間隔の間にアップリンク／ダウンリンク送受信を中断することができる。
【００７３】
端末は、段階Ｓ７０１で伝送したＭＡＣ  ＰＤＵ  Ａに対応するフィードバック情報を基地局から定められたタイミングに受信することができる（Ｓ７０２）。基地局からＨＡＲＱ  ＮＡＣＫを受信した場合、端末は、次の伝送タイミングにＭＡＣ  ＰＤＵ  Ａを再伝送することができる（Ｓ７０３）。
【００７４】
段階Ｓ７０３で再伝送されたＭＡＣ  ＰＤＵ  Ａに対するＨＡＲＱフィードバック情報の受信時点が測定間隔２と重なり、端末が基地局からのＨＡＲＱフィードバック情報を受信できない場合、本実施形態に係る端末は、受信していないＨＡＲＱフィードバック情報をＡＣＫと見なし、以後のＨＡＲＱ動作を行うことができる（Ｓ７０４）。すなわち、本実施形態に係る端末は、測定間隔とＨＡＲＱフィードバック情報受信時点とが重なり、基地局からのＨＡＲＱフィードバック情報受信が不可能である場合に再伝送を中断する。
【００７５】
一方、ＬＴＥシステムで、基地局は、端末の再伝送が不可能である場合、実際に端末から伝送されたデータ受信に失敗したときにも、ＨＡＲＱ  ＡＣＫを伝送して端末の再伝送を中断することができ、このような概念を「サスペンション（Suspension）」と規定することができる。このようにサスペンションによって取り消された端末の再伝送は、基地局がＰＤＣＣＨシグナリングを通してＵＬ承認を新しく割り当てることで再び開始される。
【００７６】
したがって、図７に示すような本発明の実施形態で、ＨＡＲＱフィードバック情報受信時点が測定間隔と重なり、端末が受信していないＨＡＲＱフィードバック情報をＡＣＫと見なして再伝送を中断する場合、基地局が該当のＭＡＣ  ＰＤＵの再伝送を要請すると、基地局が新しいＵＬ承認を伝送し、端末がこれを再伝送するように設定する方法を提案する。
【００７７】
図８は、本発明の好適な一実施形態によって端末がＨＡＲＱ動作を行う方法を説明するための図である。
【００７８】
まず、段階Ｓ８０１で、端末は、基地局からＰＤＣＣＨを通して自体に伝送されるＰＤＳＣＨ情報が存在することをセル識別子（例えば、Ｃ−ＲＮＴＩ）などを通して判断した後、自体に伝送されるＰＤＳＣＨ情報としてＵＬ承認情報を獲得することができる。ＵＬ承認を受信した端末は、これによるアップリンク伝送信号、例えば、ＭＡＣ  ＰＤＵ  Ａを生成してＨＡＲＱバッファに保存する。
【００７９】
より具体的に、端末は、複数個のＨＡＲＱプロセスを有しており、前記各ＨＡＲＱプロセスは同期するように作動する。すなわち、ＴＴＩごとに各ＨＡＲＱプロセスが同期するように割り当てられる。例えば、ＬＴＥシステムは、端末が８個のＨＡＲＱプロセスを有していると仮定し、これによって、１番目のＴＴＩではＨＡＲＱプロセス１番、２番目のＴＴＩではＨＡＲＱプロセス２番、８番目のＴＴＩではＨＡＲＱプロセス８番、９番目のＴＴＩでは再びＨＡＲＱプロセス１番、１０番目のＴＴＩでは再びＨＡＲＱプロセス２番の形態で割り当てられる。
【００８０】
また、前記各ＨＡＲＱプロセスが同期するように割り当てられるので、特定のデータの最初の伝送のためのＰＤＣＣＨを受信したＴＴＩに対応するＨＡＲＱプロセスが前記データの伝送に用いられる。例えば、端末がＮ番目のＴＴＩでＵＬスケジューリング情報を含むＰＤＣＣＨを受信し、前記Ｎ番目のＴＴＩにはＨＡＲＱプロセスＫ番が対応すると仮定する。その後、端末がＮ＋４番目のＴＴＩでデータを伝送するとき、Ｎ＋４番目のＴＴＩで前記ＨＡＲＱプロセスＫ番が前記データ伝送に用いられる。
【００８１】
一方、このような各ＨＡＲＱプロセスは、それぞれ一つのＨＡＲＱバッファを有する。したがって、段階Ｓ８０１で受信されたＵＬ承認によって、端末の特定のＨＡＲＱプロセスは、自体のＨＡＲＱバッファに受信されたＵＬ承認に対応するＭＡＣ  ＰＤＵ  Ａを生成して保存し、これを最初の伝送及び再伝送に用いることができる。
【００８２】
その後、段階Ｓ８０２で、端末は、ＨＡＲＱバッファに保存されたＭＡＣ  ＰＤＵ  Ａの最初の伝送を行うことができる。また、図８では図示していないが、このＭＡＣ  ＰＤＵ  Ａは、図６及び図７の例のように所定回数だけ再伝送を反復することができる。ＬＴＥシステムで、端末のＨＡＲＱ再伝送は、上述したように、基本的に非適応的（Ｎｏｎ−ａｄａｐｔｉｖｅ）方式で動作する。すなわち、特定のデータの最初の伝送は、ＵＬ承認情報を含むＰＤＣＣＨを受信したときに可能になる。ところが、前記データのＨＡＲＱの再伝送は、ＰＤＣＣＨを受信しなくても、次回の該当のＨＡＲＱプロセスが割り当てられたＴＴＩで最初の伝送と同一のＵＬ承認を用いて行うことができる。
【００８３】
最初の伝送及び再伝送に用いられる伝送パラメータはＰＤＣＣＨを通して伝達され、該当の情報はチャネル状況によって変更される。例えば、チャネル状況が最初の伝送時より良い状況であると、モジュレーションまたはペイロード大きさを変更して高いビットレートで伝送することができ、その反対に、チャネル状況が良くない場合には、最初の伝送時より低いビットレートで伝送することができる。
【００８４】
その後、段階Ｓ８０３で、基地局は、端末に段階Ｓ８０２で伝送されたＭＡＣ  ＰＤＵ  Ａに対する応答としてＨＡＲＱ  ＮＡＣＫを伝送したが、端末に既に設定された測定間隔動作によって端末がこれを受信できないこともある（Ｓ８０３）。この場合、本実施形態では、端末が、受信していないＨＡＲＱフィードバック情報をＨＡＲＱ  ＡＣＫと見なして以後のＨＡＲＱ動作を行うと仮定する。一方、ＬＴＥシステムでは、端末が基地局に特定のＭＡＣ  ＰＤＵを伝送し、前記特定のＭＡＣ  ＰＤＵに対してＨＡＲＱ  ＡＣＫを受信したとしても、前記ＭＡＣ  ＰＤＵ伝送回数が予め設定された最大再伝送回数に到達していないと、端末が前記特定のＭＡＣ  ＰＤＵをＨＡＲＱバッファに維持すると仮定する。
【００８５】
これによって、図８の例で、基地局が端末に前記ＭＡＣ  ＰＤＵ  Ａの再伝送を再び要請するために新しいＵＬ承認を端末に伝送した場合（Ｓ８０４）、端末は、該当のＨＡＲＱバッファに保存されたＭＡＣ  ＰＤＵ  Ａの再伝送を再び開始することができる（Ｓ８０５）。
【００８６】
一方、ＨＡＲＱフィードバック情報受信時点とＲＲＣシグナリングを通した測定間隔とが重なる場合、一般的に、端末は、ＨＡＲＱフィードバック情報を受信できないが、ランダムアクセス過程（Random Access Procedure）と関連して端末が前記測定動作に比べてランダムアクセス過程に優先順位をおいて動作する場合、ＨＡＲＱフィードバック情報受信時点が測定間隔と重複するときにも、端末がＨＡＲＱフィードバック情報を受信する場合がある。
【００８７】
例えば、ＨＡＲＱフィードバック情報受信時点が測定間隔と重なるとしても、該当のＨＡＲＱフィードバック情報が端末のランダムアクセス過程中の３番目のメッセージ伝送に対するものである場合、端末は、測定動作に優先してＨＡＲＱフィードバック情報を受信するようになる。ただし、上述したように、端末が測定間隔で実際に測定動作を行わず、ＨＡＲＱフィードバック情報受信に問題がない場合は、図５と関連して上述した問題が発生しない場合で、本発明で解決しようとする「測定間隔がＨＡＲＱフィードバック情報受信時点と一致し、端末がＨＡＲＱフィードバック情報を受信できない場合」に該当しないと仮定する。
【００８８】
以下では、上述したようなＨＡＲＱ動作方法、特に、端末が測定間隔とＨＡＲＱフィードバック情報受信時点とが重なり、ＨＡＲＱフィードバック情報受信が不可能である場合、受信していないＨＡＲＱフィードバック情報をＨＡＲＱ  ＡＣＫと見なして動作する方法を具現するための端末の構成について説明する。
【００８９】
図９は、本発明の一実施形態に係るＨＡＲＱ動作を行うための端末の構成を概略的に示した図である。
【００９０】
本実施形態に係る端末は、伝送モジュール９０４及び受信モジュール９０５を含む物理層モジュール９０１と、端末のＨＡＲＱ動作を管理する少なくとも一つのＨＡＲＱプロセスモジュール９０６、及び各ＨＡＲＱプロセスモジュール９０６に対応するＨＡＲＱバッファ９０７を含むＭＡＣ層モジュール９０２と、所定の測定間隔の間にアップリンク／ダウンリンク伝送を行わず、インターメジャメント動作を行うための測定モジュール９０８を含むＲＲＣ層モジュール９０３とを含むことができる。
【００９１】
以下、このような構成に基づいて本発明の一実施形態に係る端末のＨＡＲＱ動作を説明する。
【００９２】
まず、端末は、受信モジュール９０５を通して基地局から受信されたＵＬ承認情報を受信することができる。このように受信されたＵＬ承認情報は、ＭＡＣ層モジュールに伝達され、対応するＨＡＲＱプロセスモジュール９０６に割り当てられる。ＨＡＲＱプロセスモジュール９０６は、受信されたＵＬ承認に対応するＭＡＣ  ＰＤＵを生成し、これを対応するＨＡＲＱバッファ９０７に保存することができる。このように保存されたＭＡＣ  ＰＤＵは、以後に最初の伝送及び再伝送に用いられる。すなわち、生成されたＭＡＣ  ＰＤＵは、物理層モジュール９０１の伝送モジュールに伝達され、ＰＵＳＣＨを通して基地局に伝送される。これによって、基地局が伝送したＨＡＲＱフィードバック情報は、再び受信モジュール９０５によって受信され、該当のＨＡＲＱプロセスモジュール９０６にフィードバックされる。
【００９３】
一方、端末には、基地局のＲＲＣ層シグナリングを通してインターメジャメントのための測定間隔が設定される。すなわち、ＲＲＣ層モジュール９０３内の測定モジュール９０８は、基地局のＲＲＣ信号によってインターメジャメント動作を行うことができる。この場合、測定モジュール９０８は、ＭＡＣ層モジュール９０２及び／または物理層モジュール９０１に、アップリンク／ダウンリンク送受信が中断される測定間隔に対する情報を伝達することができる。図９では、測定モジュール９０８がＲＲＣ層モジュール９０３に含まれているが、測定モジュール９０８は、物理層モジュール９０１内の測定と関連した信号送受信のためのモジュール（図示せず）をさらに含んで動作することもできる。ただし、測定動作の実質的な制御は、ＲＲＣ層モジュール９０３を通して行われ、以下では、図９に示すように単純化して説明する。
【００９４】
測定モジュール９０８がインターメジャメント動作を行う測定間隔が特定のアップリンク伝送に対するＨＡＲＱフィードバック情報受信時点と重なり、端末の受信モジュール９０５が該当のＨＡＲＱフィードバック情報を受信できない場合、該当のＨＡＲＱプロセスモジュール９０６が、受信していないＨＡＲＱフィードバック情報をＨＡＲＱ  ＡＣＫと見なして以後のＨＡＲＱ動作を行うことを提案する。このようにＨＡＲＱプロセスモジュール９０６が、受信していないＨＡＲＱフィードバック情報をＨＡＲＱ  ＡＣＫと見なす場合にも、ＨＡＲＱバッファ９０７に保存されたＭＡＣ  ＰＤＵは継続的に維持される。そして、基地局から新しいＵＬ承認が受信モジュール９０５を通して受信されてＨＡＲＱプロセスモジュール９０６に伝達される場合、ＨＡＲＱプロセスモジュール９０６は、新しく受信したＵＬ承認によって該当のＭＡＣ  ＰＤＵを伝送モジュール９０４を通して再伝送することができる。
【００９５】
上述したように開示された本発明の好適な各実施例に対する詳細な説明は、当業者が本発明を具現して実施できるように提供された。以上では、本発明の好適な各実施例を参照して説明したが、該当の技術分野の熟練した当業者は、下記の特許請求の範囲に記載された本発明の思想及び領域から逸脱しない範囲内で本発明を多様に修正及び変更可能であることを理解するであろう。したがって、本発明は、上記の各実施形態に制限されるものでなく、上述したように開示された原理及び新規の特徴と一致する最広の範囲を与えようとするものである。
【産業上の利用可能性】
【００９６】
上述したようなＨＡＲＱ動作技術及びこのための端末構造は、３ＧＰＰ  ＬＴＥシステムに適用される例を中心にして説明したが、３ＧＰＰ  ＬＴＥシステム以外にも、類似したＨＡＲＱ動作過程を有する他の多様な移動通信システムに適用可能である。
【図１】
2011519496.tif 000003
【図２】
2011519496.tif 000004
【図３】
2011519496.tif 000005
【図４】
2011519496.tif 000006
【図５】
2011519496.tif 000007
【図６】
2011519496.tif 000008
【図７】
2011519496.tif 000009
【図８】
2011519496.tif 000010
【図９】
2011519496.tif 000011
【国際調査報告】
2011519496.tif 000012
2011519496.tif 000013